(57)【要約】【課題】すぐに携帯端末の機能にアクセスできるコマンド入力の実現。【解決手段】コマンド登録の手段は、タッチパネルが読み取った指先の動きでコマンドと機能とを関連づけて登録しているデータベースを検索し、指先の動きがデータベースに登録されていないときは、この指先の動きをコマンドとした場合に実行できる機能の一覧を表示し、該一覧から選択された機能を前述の指先の動きと関連づけてデータベースに登録し、コマンド入力の手段は、コマンド登録の手段でコマンドとして登録された指先の動きがタッチパネルから入力されたときに、該指先の動きに対応する機能を立ち上げる。【選択図】図２
2010102375.tif 000002
【特許請求の範囲】
【請求項１】
ユーザの指先の上下左右に係る動きを読み取るタッチパネルを備えた携帯端末において、コマンド登録の手段と、コマンド編集の手段と、コマンド入力の手段と、コマンドと機能とを関連づけて登録するデータベースと、を有するコマンド入力システムであって、
前記コマンド登録の手段は、前記タッチパネルが読み取った前記指先の動きでデータベースを検索し、前記指先の動きが前記データベースに登録済みであれば、その旨のメッセージを表示し、登録されていないときは、前記指先の動きを前記コマンドとした場合に実行できる機能の一覧を表示し、該一覧から選択された機能を前記指先の動きと関連づけて前記データベースに登録し、
前記コマンド入力の手段は、前記コマンド登録の手段で前記コマンドとして登録された指先の動きが前記タッチパネルから入力されたときに、該指先の動きに対応する機能を立ち上げることを特徴とするコマンド入力システム。
【請求項２】
前記コマンド編集の手段は、既に登録されているコマンドと機能との関連づけを一覧で表示し、該一覧上でコマンドに関連づけられている機能が変更されたときは、その旨を前記データベースに登録し、
前記コマンド入力の手段は、前記コマンド編集の手段で前記コマンドとして登録された指先の動きが前記タッチパネルから入力されたときに、該指先の動きに対応する機能を立ち上げることを特徴とする請求項１に記載のコマンド入力システム。
【請求項３】
前記コマンド登録の手段、前記コマンド編集の手段及び前記コマンド入力の手段は、前記タッチパネルから入力された指先の上下左右の動き及びこれらの動きの組合せを前記コマンドとして認識することを特徴とする請求項１又は２に記載のコマンド入力システム。
【請求項４】
ユーザの指先の上下左右に係る動きを読み取るタッチパネルを備えた携帯端末において、コマンド登録の手順と、コマンド編集の手順と、コマンド入力の手順と、を有するコマンド入力方法であって、
前記コマンド登録の手順は、前記タッチパネルが読み取った前記指先の動きで、コマンドと機能とを関連づけて登録しているデータベースを検索し、前記指先の動きが登録済みであれば、その旨のメッセージを表示し、登録されていないときは、前記指先の動きを前記コマンドとした場合に実行できる機能の一覧を表示し、該一覧から選択された機能を前記指先の動きと関連づけて前記データベースに登録し、
前記コマンド入力の手順は、前記コマンド登録の手順で前記コマンドとして登録された指先の動きが前記タッチパネルから入力されたときに、該指先の動きに対応する機能を立ち上げることを特徴とするコマンド入力方法。
【請求項５】
前記コマンド編集の手順は、既に登録されているコマンドと機能との関連づけを一覧で表示し、該一覧上でコマンドに関連づけられている機能が変更されたときは、その旨を前記データベースに登録し、
前記コマンド入力の手順は、前記コマンド編集の手順で前記コマンドとして登録された指先の動きが前記タッチパネルから入力されたときに、該指先の動きに対応する機能を立ち上げることを特徴とする請求項４に記載のコマンド入力方法。
【請求項６】
前記コマンド登録の手順、前記コマンド編集の手順及び前記コマンド入力の手順は、前記タッチパネルから入力された指先の上下左右の動き及びこれらの動きの組合せを前記コマンドとして認識することを特徴とする請求項４又は５に記載のコマンド入力方法。
【請求項７】
ユーザの指先の上下左右に係る動きを読み取るタッチパネルを備えた携帯端末において、コマンド登録の処理と、コマンド編集の処理と、コマンド入力の処理と、を前記携帯端末に実行させるコマンド入力プログラムであって、
前記コマンド登録の処理は、前記タッチパネルが読み取った前記指先の動きで、コマンドと機能とを関連づけて登録しているデータベースを検索し、前記指先の動きが登録済みであれば、その旨のメッセージを表示し、登録されていないときは、前記指先の動きを前記コマンドとした場合に実行できる機能の一覧を表示し、該一覧から選択された機能を前記指先の動きと関連づけて前記データベースに登録し、
前記コマンド入力の処理は、前記コマンド登録の処理で前記コマンドとして登録された指先の動きが前記タッチパネルから入力されたときに、該指先の動きに対応する機能を立ち上げることを特徴とするコマンド入力プログラム。
【請求項８】
前記コマンド編集の処理は、既に登録されているコマンドと機能との関連づけを一覧で表示し、該一覧上でコマンドに関連づけられている機能が変更されたときは、その旨を前記データベースに登録し、
前記コマンド入力の処理は、前記コマンド編集の処理で前記コマンドとして登録された指先の動きが前記タッチパネルから入力されたときに、該指先の動きに対応する機能を立ち上げることを特徴とする請求項７に記載のコマンド入力プログラム。
【請求項９】
前記コマンド登録の処理、前記コマンド編集の処理及び前記コマンド入力の処理は、前記タッチパネルから入力された指先の上下左右の動き及びこれらの動きの組合せを前記コマンドとして認識することを特徴とする請求項７又は８に記載のコマンド入力プログラム。
【発明の詳細な説明】
【技術分野】
【０００１】
本発明は、タッチパネル対応携帯端末が備える機能及び電話帳等の情報を簡易なコマンドを入力するだけで簡単に呼び出せることを特徴とするタッチパネルを用いたコマンド入力システム、その方法及びそのプログラムに関する。
【背景技術】
【０００２】
タッチパネル対応の携帯端末が徐々に普及しつつあることから、タッチパネルの機能を応用して簡単に携帯端末の機能を立ち上げることができる発明が、以下の特許文献１〜３に開示されている。
【特許文献１】特開２００６−２４４０３８号公報
【特許文献２】特開平０６−１４９４６６号公報
【特許文献３】特開平１１−０８５３９８号公報
【発明の開示】
【発明が解決しようとする課題】
【０００３】
しかしながら、特許文献１〜３に開示された先行技術では、階層深くにある機能はいちいち辿らないと立ち上げることが出来ず、すぐに機能を立ち上げることができないという問題があった。
【０００４】
又、機能の登録操作が煩雑になるおそれがあり、携帯端末の操作に不慣れなユーザが対応できない場合があるという問題があった。
【０００５】
本発明は上記に鑑みてなされたもので、携帯端末の操作に不慣れなユーザであっても、すぐに携帯端末の機能や情報にアクセスできるコマンド入力システム、その方法及びそのプログラムを提供することを目的とする。
【課題を解決するための手段】
【０００６】
上述の問題を解決するため、本発明に係るコマンド入力システムは、ユーザの指先の上下左右に係る動きを読み取るタッチパネルを備えた携帯端末において、コマンド登録の手段と、コマンド編集の手段と、コマンド入力の手段と、コマンドと機能とを関連づけて登録するデータベースと、を有するコマンド入力システムであって、前記コマンド登録の手段は、前記タッチパネルが読み取った前記指先の動きでデータベースを検索し、前記指先の動きが前記データベースに登録済みであれば、その旨のメッセージを表示し、登録されていないときは、前記指先の動きを前記コマンドとした場合に実行できる機能の一覧を表示し、該一覧から選択された機能を前記指先の動きと関連づけて前記データベースに登録し、前記コマンド入力の手段は、前記コマンド登録の手段で前記コマンドとして登録された指先の動きが前記タッチパネルから入力されたときに、該指先の動きに対応する機能を立ち上げることを特徴とする。
【０００７】
上述の問題を解決するため、本発明に係るコマンド入力方法は、ユーザの指先の上下左右に係る動きを読み取るタッチパネルを備えた携帯端末において、コマンド登録の手順と、コマンド編集の手順と、コマンド入力の手順と、を有するコマンド入力方法であって、前記コマンド登録の手順は、前記タッチパネルが読み取った前記指先の動きで、コマンドと機能とを関連づけて登録しているデータベースを検索し、前記指先の動きが登録済みであれば、その旨のメッセージを表示し、登録されていないときは、前記指先の動きを前記コマンドとした場合に実行できる機能の一覧を表示し、該一覧から選択された機能を前記指先の動きと関連づけて前記データベースに登録し、前記コマンド入力の手順は、前記コマンド登録の手順で前記コマンドとして登録された指先の動きが前記タッチパネルから入力されたときに、該指先の動きに対応する機能を立ち上げることを特徴とする。
【０００８】
上述の問題を解決するため、本発明に係るコマンド入力プログラムは、ユーザの指先の上下左右に係る動きを読み取るタッチパネルを備えた携帯端末において、コマンド登録の処理と、コマンド編集の処理と、コマンド入力の処理と、を前記携帯端末に実行させるコマンド入力プログラムであって、前記コマンド登録の処理は、前記タッチパネルが読み取った前記指先の動きで、コマンドと機能とを関連づけて登録しているデータベースを検索し、前記指先の動きが登録済みであれば、その旨のメッセージを表示し、登録されていないときは、前記指先の動きを前記コマンドとした場合に実行できる機能の一覧を表示し、該一覧から選択された機能を前記指先の動きと関連づけて前記データベースに登録し、前記コマンド入力の処理は、前記コマンド登録の処理で前記コマンドとして登録された指先の動きが前記タッチパネルから入力されたときに、該指先の動きに対応する機能を立ち上げることを特徴とする。
【発明の効果】
【０００９】
以上説明したように本発明によれば、コマンド登録の手段は、タッチパネルが読み取った指先の動きでデータベースを検索し、指先の動きがデータベースに登録されていないときは、指先の動きをコマンドとした場合に実行できる機能の一覧を表示し、該一覧から選択された機能を前述の指先の動きと関連づけてデータベースに登録し、コマンド入力の手段は、コマンド登録の手段でコマンドとして登録された指先の動きがタッチパネルから入力されたときに、該指先の動きに対応する機能を立ち上げるので、携帯端末の操作に不慣れなユーザであっても、すぐに携帯端末の機能や情報にアクセスできるコマンド入力システム、その方法及びそのプログラムを提供することができる。
【発明を実施するための最良の形態】
【００１０】
本発明に係るコマンド入力システムは、タッチパネルに対応した携帯端末、特に携帯電話において用いられる。
【００１１】
以下、図面を参照しながら本発明に係るコマンド入力システムを実施するための最良の形態（以下、本実施の形態）について説明する。
【００１２】
まず、図１は、本実施の形態に係る入力システムのタッチパネル上での指によるコマンド入力の一例を示す図である。
【００１３】
図１において、タッチパネル１１上で指２１を右に動かせば、「右」というコマンドを認識し、指２１を離せば「右」というコマンドが入力されたと認識し、「右」に対応した機能が登録されていれば、その機能を立ち上げる。
【００１４】
タッチパネル上で指２１を右に動かしてから、指２１を離すことなく下に移動させた後、指２１をタッチパネル１１上から外せば携帯端末は「右・下」というコマンドを認識し、それに対応した機能を立ち上げる。
【００１５】
このように本実施の形態は、画面のロックを外すと同時に指２１で画面をなぞるだけで、携帯端末はコマンドが入力されたと認識し、すぐに機能や情報を立ち上げることができるようになるというものである。
【００１６】
コマンドを認識する画面に移行した後、指２１を上下左右のいずれかに動かせば、その動きを感知し、「上下左右」いずれかのコマンドとして認識する。続けて違う方向に移動させれば、それも新しいコマンドとして認識され、その動作は指をタッチパネル１１から外すまで繰り返される。
【００１７】
すなわち、本実施の携帯では、コマンド登録、コマンド編集及びコマンド入力等で、タッチパネルから入力された指先の上下左右の動き及びこれらの動きの組合せをコマンドとして認識する。
【００１８】
本実施の形態に係るコマンド入力システムは、コマンド登録、コマンド編集及び上述のコマンド入力の三つからなる。
【００１９】
まず、図２を用いてコマンドの登録について説明する。図２は、本実施の形態に係るコマンド入力システムにおけるコマンド登録のフローチャートである。
【００２０】
コマンド登録画面において「右」のコマンドを入力した際、それが未登録であった場合は携帯電話内にある機能又は電話帳若しくはbookmark等のデータを選択できる画面に移行する。そこで、「右」コマンドに対応させたい機能を選択すれば、次回以降、「右」コマンドを入力すればその機能が立ち上がるようになる。
【００２１】
すなわち、このコマンド登録では、タッチパネルが読み取ったユーザの指先の動きでデータベースを検索し、この指先の動きが当該データベースに登録済みであれば、その旨のメッセージを表示する。登録されていないときは、この指先の動きをコマンドとした場合に実行できる機能の一覧を表示し、その一覧から選択された機能を指先の動きと関連づけてデータベースに登録する。
【００２２】
仮に入力したコマンドにすでに別な機能が登録されている際は「登録済み」であることを示すメッセージを表示する。
【００２３】
続いて、図３を用いてコマンド編集について説明する。図３は、本実施の形態に係るコマンド入力システムにおけるコマンド編集のフローチャートである。
【００２４】
例えば、「右」というコマンドに「Ａ」という機能が割り振られたときに、「Ｂ」という機能に振り替えたいことがあったとする。その際は、コマンド編集画面において、すでに登録されているものを選択し、振り替えたい新しい機能を選択すれば完了となる。次回以降、「右」コマンドを入力すればその機能が立ち上がるようになる。
【００２５】
すなわち、コマンド編集では、既に登録されているコマンドと機能との関連づけを一覧で表示し、この一覧上でこれらのコマンドに関連づけられている機能が変更されたとき、その旨をデータベースに登録する。
【００２６】
続いて、図４を用いてコマンド入力について説明する。図４は、本実施の形態に係るコマンド入力システムにおけるコマンド入力のフローチャートである。
【００２７】
初めに、ユーザは携帯電話からコマンド入力機能を立ち上げる。なお、画面のロックを解除すると同時に立ち上げられるように出来ることも考慮する。
【００２８】
コマンド入力機能を立ち上げた後、立ち上げたい機能や情報に対応したコマンドを指２１で入力すれば、その機能が瞬時に立ち上がるようになる。
【００２９】
すなわち、コマンド入力では、タッチパネルからコマンドとして登録された指先の動きが入力されたときに、この指先の動きに対応する機能を立ち上げる。
【００３０】
なお、入力したコマンドが未登録のものであった際は「未登録」であることを示すメッセージを表示する。なお、メッセージの表示又は非表示はユーザが選べるものとする。
【産業上の利用可能性】
【００３１】
本発明は、タッチパネル対応携帯端末でのコマンド入力のみならず、タッチパネルを備えた広範な機器に適用できる。
【図面の簡単な説明】
【００３２】
【図１】本実施の形態に係る入力システムのタッチパネル上での指によるコマンド入力の一例を示す図である。
【図２】本実施の形態に係るコマンド入力システムにおけるコマンド登録のフローチャートである。
【図３】本実施の形態に係るコマンド入力システムにおけるコマンド編集のフローチャートである。
【図４】本実施の形態に係るコマンド入力システムにおけるコマンド入力のフローチャートである。
【符号の説明】
【００３３】
１１  タッチパネル
２１  指
【図１】
2010102375.tif 000003
【図２】
2010102375.tif 000004
【図３】
2010102375.tif 000005
【図４】
2010102375.tif 000006